(57)【要約】  スクランブリング効率を向上するためのランダムアクセス方法を開示する。具体的には、端末が特定ネットワークにランダムアクセスを行なう際に、ランダムアクセス応答メッセージを通じて受信した端末識別情報値を用いて、上りリンク承認に対応する上りリンク伝送信号をスクランブリングして伝送する方法を提供する。好ましくは、上記スクランブリングに利用される端末識別情報値は、ランダムアクセス応答メッセージを通じて受信した臨時Ｃ−ＲＮＴＩを用いる。
2010524386.tif 000002
【特許請求の範囲】
【請求項１】
端末が特定ネットワークにランダムアクセスを行なう方法であって、
所定のプリアンブルを含むランダムアクセスプリアンブルメッセージを伝送する段階と、
前記ランダムアクセスプリアンブルメッセージに対応するランダムアクセス応答メッセージを通じて端末識別情報及び上りリンク承認（UL Grant）情報を受信する段階と、
前記ランダムアクセス応答メッセージを通じて受信した端末識別情報値を用いて上りリンク伝送信号をスクランブリングする段階と、
前記上りリンク承認情報に基づいて前記スクランブリングされた上りリンク伝送信号を伝送する段階と、
を含む、ランダムアクセス方法。
【請求項２】
前記ランダムアクセスは、競合ベースランダムアクセスであり、
前記ランダムアクセス応答メッセージを通じて受信した端末識別情報値を、前記スクランブリングされた上りリンク伝送信号を伝送する前に設定する段階をさらに含む、請求項１に記載のランダムアクセス方法。
【請求項３】
前記スクランブリング段階は、
前記端末のＭＡＣ（Medium Access Control）層が、受信した前記上りリンク承認情報を前記端末の物理層に伝達する段階と、
前記端末の物理層が、前記設定された端末識別情報値を用いてスクランブリングシーケンスを生成する段階と、
前記生成されたスクランブリングシーケンスを用いて前記上りリンク伝送信号をスクランブリングする段階と、
を含む、請求項２に記載のランダムアクセス方法。
【請求項４】
前記上りリンク伝送信号を、前記ランダムアクセス応答メッセージを通じて受信した端末識別情報値を用いてスクランブリングした後に再伝送する段階をさらに含む、請求項１に記載のランダムアクセス方法。
【請求項５】
前記スクランブリングされた上りリンク伝送信号を、物理上りリンク共有チャネル（ＰＵＳＣＨ：Physical Uplink Sharing Channel）を通じて伝送する、請求項１に記載のランダムアクセス方法。
【請求項６】
前記ランダムアクセス応答メッセージを通じて受信した端末識別情報は、臨時セルＲＮＴＩ（Temporary Cell Radio Network Temporary Identifier）を含む、請求項１に記載のランダムアクセス方法。
【請求項７】
特定ネットワークにランダムアクセスを行なう端末であって、
ランダムアクセスプリアンブルメッセージ及び上りリンク承認（UL Grant）情報に対応する上りリンク伝送信号を伝送する伝送モジュールと、
前記ランダムアクセスプリアンブルメッセージに対応するランダムアクセス応答メッセージを受信する受信モジュールと、
端末識別情報値を用いて前記上りリンク伝送信号をスクランブリングするスクランブリングモジュールと、
を物理層モジュールとして含み、
前記スクランブリングモジュールは、前記受信モジュールが前記ランダムアクセス応答メッセージを通じて受信した特定端末識別情報値を用いて、前記上りリンク伝送信号をスクランブリングすることを特徴とする、端末。
【請求項８】
前記受信モジュールは、前記ランダムアクセス応答メッセージを通じて特定上りリンク承認情報を追加的に受信し、
前記伝送モジュールは、前記スクランブリングモジュールがスクランブリングした前記上りリンク伝送信号を、前記特定上りリンク承認情報に基づいて伝送する、請求項７に記載の端末。
【請求項９】
前記端末は、ＭＡＣ層モジュールをさらに含み、
前記受信モジュールは、前記受信したランダムアクセス応答メッセージを前記ＭＡＣ層モジュールに伝達する、請求項８に記載の端末。
【請求項１０】
前記ランダムアクセスが競合ベースランダムアクセスである場合、前記ＭＡＣ層モジュールは、前記ランダムアクセス応答メッセージを通じて受信した前記特定端末識別情報を、前記伝送モジュールが前記特定上りリンク承認情報に対応して前記上りリンク伝送信号を伝送する前に設定する、請求項９に記載の端末。
【請求項１１】
前記ＭＡＣ層モジュールは、前記ランダムアクセス応答メッセージの特定の上りリンク承認情報を前記伝送モジュールに伝達し、
前記スクランブリングモジュールは、前記ＭＡＣ層モジュールにより設定された前記特定端末識別情報値を用いてスクランブリングシーケンスを生成し、前記生成されたスクランブリングシーケンスを用いて前記上りリンク伝送信号をスクランブリングする、請求項１０に記載の端末。
【請求項１２】
前記伝送モジュールは、前記承認情報に対応する上りリンク伝送信号を物理上りリンク共有チャネル（ＰＵＳＣＨ：Physical Uplink Sharing Channel）を通じて伝送する、請求項７に記載の端末。
【請求項１３】
前記ランダムアクセス応答メッセージを通じて受信した特定端末識別情報は、臨時セルＲＮＴＩ（Temporary Cell Radio Network Temporary Identifier）を含む、請求項７に記載の端末。
【請求項１４】
ネットワークが端末のランダムアクセスを制御する方法であって、
前記端末からランダムアクセスプリアンブルメッセージを受信する段階と、
前記ランダムアクセスプリアンブルメッセージに対応するランダムアクセス応答メッセージを通じて端末識別情報及び上りリンク承認（UL Grant）情報を伝送する段階と、
前記上りリンク承認情報に対応して前記端末から上りリンク伝送メッセージを受信する段階と、
前記上りリンク伝送メッセージを、前記ランダムアクセス応答メッセージを通じて伝送した端末識別情報を用いてデスクランブリングする段階と、
を含む、ランダムアクセス制御方法。
【請求項１５】
前記ランダムアクセス応答メッセージを通じて伝送した端末識別情報は、臨時セルＲＮＴＩ（Temporary Cell Radio Network Temporary Identifier）を含む、請求項１４に記載のランダムアクセス制御方法。
【発明の詳細な説明】
【技術分野】
【０００１】
本発明は、スクランブリング効率を向上する方法に関し、更に詳しくは、スクランブリング／デスクランブリングの性能を向上する装置及び方法に関する。本発明は、広範囲の用途に適しているが、移動通信システムにおけるランダムアクセス手順（Random Access Procedure）で行なわれるスクランブリング／デスクランブリングの性能を向上するのに特に適している。
【背景技術】
【０００２】
先ず、本発明が適用されうる移動通信システムの一例として、３ＧＰＰ ＬＴＥ（3rd Generation Partnership Project Long Term Evolution；以下、“ＬＴＥ”という。）通信システムについて概略的に説明する。
【０００３】
図１は、移動通信システムの一例としてＥ−ＵＭＴＳネットワーク構造を概略的に示す図である。
【０００４】
図１を参照すると、Ｅ−ＵＭＴＳ（Evolved Universal Mobile Telecommunications System）は、ＵＭＴＳ（Universal Mobile Telecommunications System）から発展したシステムであり、現在３ＧＰＰで基礎的な標準化作業が進行されている。一般的に、Ｅ−ＵＭＴＳをＬＴＥシステムと呼ぶこともできる。
【０００５】
Ｅ−ＵＭＴＳネットワークは、主に、Ｅ−ＵＴＲＡＮ１０１と、ＣＮ（core network）１０２とからなる。Ｅ−ＵＴＲＡＮ （Evolved-UMTS Terrestrial Radio Access Network）１０１は、ユーザ装置（User Equipment；以下、“ＵＥ”と略す。）１０３と、基地局（以下、“ｅＮｏｄｅ Ｂ”または“ｅＮＢ”と略す。）１０４と、ネットワークの終端に位置して外部ネットワークと接続されるアクセスゲートウェイ（Access Gateway；以下、“ＡＧ”と略す。）１０５と、で構成される。ＡＧ １０５を、ユーザトラフィック処理を担当する部分と、制御トラフィックを処理する部分とに分けることができる。この場合には、新しいユーザトラフィック処理のためのＡＧ及び制御トラフィックを処理するＡＧは、新しいインターフェースを用いて互いに通信するようにしても良い。
【０００６】
一つのｅＮｏｄｅ Ｂには一つ以上のセル（Cell）が存在することができる。ｅＮｏｄｅ Ｂ間には、ユーザトラフィックあるいは制御トラフィックの伝送のためのインターフェースが使用可能である。ＣＮ １０２は、ＡＧ１０５及び他のＵＥ １０３のユーザ登録のためのノードで構成されても良い。Ｅ−ＵＴＲＡＮ １０１とＣＮ １０２とを区別するためのインターフェースが用いられても良い。
【０００７】
端末とネットワークとの間の無線インターフェースプロトコル（Radio Interface Protocol）の層を、通信システムの分野で広く知られた開放型システム間相互接続（Open System Interconnection；ＯＳＩ）基準モデルの下位の３層に基づいてＬ１（第１の層）、Ｌ２（第２の層）、Ｌ３（第３の層）に区別することができる。第１の層に属する物理層は、物理チャネル（Physical Channel）を用いた情報伝送サービス（Information Transfer Service）を提供する。第３の層に位置する無線リソース制御（Radio Resource Control；以下、“ＲＲＣ”と略す。）は、ユーザ装置とネットワークとの間で無線リソースを制御する役割を果たす。このために、ＲＲＣ層は、ユーザ装置とネットワークとの間においてＲＲＣメッセージ交換を行なう。ＲＲＣ層を、ｅＮｏｄｅ Ｂ １０４、ＡＧ １０５等を含むネットワークノードに分散しても良く、ｅＮｏｄｅ Ｂ １０４またはＡＧ １０５のいずれか一方にのみ設けても良い。
【０００８】
図２及び図３は、３ＧＰＰ無線アクセスネットワーク規格に基づくユーザ装置とＵＴＲＡＮとの間の無線インターフェースプロトコルの構造を示す図である。
【０００９】
図２及び図３を参照すると、無線インターフェースプロトコルは、水平的には、物理層（Physical Layer）、データリンク層（Data Link Layer）及びネットワーク層（Network Layer）からなり、垂直的には、データ情報伝送のためのユーザプレーン（User Plane）及び制御信号伝達（Signaling）のための制御プレーン（Control Plane）からなる。特に、図２は、無線プロトコル制御プレーンの各層を示し、図３は、無線プロトコルユーザプレーンの各層を示す。図２及び図３の無線プロトコル層を、通信システムで広く知られた開放型システム間相互接続（ＯＳＩ）基準モデルの下位の３層に基づいてＬ１（第１の層）、Ｌ２（第２の層）、Ｌ３（第３の層）に区別することができる。
【００１０】
以下、図２の無線プロトコル制御プレーンと図３の無線プロトコルユーザプレーンの各層について説明する。
【００１１】
先ず、第１の層である物理（Physical；ＰＨＹ）層は、物理チャネル（Physical Channel）を用いて上位層に情報伝送サービス（Information Transfer Service）を提供する。ＰＨＹ層は、上位の媒体アクセス制御（Medium Access Control；ＭＡＣ）層と伝送チャネル（Transport Channel）を介して連結されており、この伝送チャネルを通じてＭＡＣ層とＰＨＹ層と間でデータが移動する。この時、伝送チャネルは、チャネルの共有の有無によって、専用（Dedicated）伝送チャネルと共用（Common）伝送チャネルとに区分される。そして、互いに異なるＰＨＹ層間、すなわち、送信側と受信側のＰＨＹ層間では、物理チャネルを通じてデータが移動する。
【００１２】
第２の層には、様々な層が存在する。先ず、媒体アクセス制御（Medium Access Control；ＭＡＣ）層は、様々な論理チャネル（Logical Channel）を様々な伝送チャネルにマッピングさせる役割を果たし、また、複数の論理チャネルを一つの伝送チャネルにマッピングさせる論理チャネル多重化（Multiplexing）の役割を果たす。ＭＡＣ層は、上位層のＲＬＣ層とは論理チャネル（Logical Channel）を介して連結されており、論理チャネルを、主に、伝送される情報の種類によって、制御プレーン（Control Plane）の情報を伝送する制御チャネル（Control Channel）と、ユーザプレーン（User Plane）の情報を伝送するトラフィックチャネル（Traffic Channel）とに区分することができる。
【００１３】
第２の層の無線リンク制御（Radio Link Control；ＲＬＣ）層は、上位層から受信したデータを分割（Segmentation）及び連結（Concatenation）し、下位層が無線区間にデータを伝送するのに適合するようにデータのサイズを調節する役割を果たす。また、ＲＬＣ層は、それぞれの無線ベアラ（Radio Bearer；ＲＢ）が要求する様々なＱｏＳ（Quality of Service）を保障できるようにするために、ＴＭ（Transparent Mode：透過モード）、ＵＭ（Un-acknowledged Mode：非確認モード）及びＡＭ（Acknowledged Mode：確認モード）を含む３種類のＲＬＣモードを提供する。特に、ＡＭ ＲＬＣは、信頼性あるデータ伝送のために自動再送要求（Automatic Repeat and Request；ＡＲＱ）機能を用いた再伝送機能を実行する。
【００１４】
第２の層のパケットデータコンバージェンスプロトコル（Packet Data Convergence Protocol；ＰＤＣＰ）層は、帯域幅の小さい無線区間でＩＰｖ４やＩＰｖ６のようなＩＰパケットを効率的に伝送すべく、比較的大きいサイズであるとともに不要な制御情報を含んでいるＩＰパケットヘッダサイズを減らすヘッダ圧縮（Header Compression）機能を実行する。すなわち、データのヘッダ（Header）部分で必須の情報のみを伝送するようにし、無線区間の伝送効率を増大させる役割を果たす。また、ＬＴＥシステムでは、ＰＤＣＰ層がセキュリティ（Security）の機能も実行する。これは、第３者のデータ傍受を防止する暗号化（Ciphering）と、第３者のデータ操作を防止する完全性保護（Integrity protection）とで構成される。
【００１５】
第３の層の最上部に位置している無線リソース制御（Radio Resource Control；ＲＲＣ）層は、制御プレーンにのみ定義され、無線ベアラ（Radio Bearer；ＲＢ）の設定（Configuration）、再設定（Re-configuration）及び解除（Release）と関連して論理チャネル、伝送チャネル及び物理チャネルの制御を担当する。ここで、ＲＢとは、ユーザ装置とＵＴＲＡＮ間のデータ伝達のために無線プロトコルの第１及び第２の層により提供される論理的経路（path）のことを意味し、一般的に、ＲＢが設定されるということは、特定サービスを提供するために必要な無線プロトコル層及びチャネルの特性を規定し、それぞれの具体的なパラメータ及び動作方法を設定する過程を意味する。ＲＢをＳＲＢ（Signaling RB）またはＤＲＢ（Data RB）に区分することができる。ＳＲＢは、制御プレーン（C-plane）でＲＲＣメッセージを伝送する通路として用いられ、ＤＲＢは、ユーザプレーン（U-plane）でユーザデータを伝送する通路として用いられる。
【００１６】
ネットワークからユーザ装置へとデータを伝送する下り伝送チャネルには、システム情報を伝送するＢＣＨ（Broadcast Channel）と、ユーザトラフィックまたは制御メッセージを伝送する下りＳＣＨ（Shared Channel）とがある。下りマルチキャストまたは放送サービスのトラフィックまたは制御メッセージは、下りＳＣＨを通じて伝送されても良く、または、個別の下りＭＣＨ（Multicast Channel）を通じて伝送されても良い。一方、ユーザ装置からネットワークへとデータを伝送する上り伝送チャネルには、初期制御メッセージを伝送するＲＡＣＨ（Random Access Channel）またはユーザトラフィック若しくは制御メッセージを伝送する上りＳＣＨ（Shared Channel）がある。
【００１７】
そして、下り伝送チャネルで伝達される情報をネットワークとユーザ装置と間の無線区間に伝送する下り物理チャネルには、ＢＣＨの情報を伝送するＰＢＣＨ（Physical Broadcast Channel）、ＭＣＨの情報を伝送するＰＭＣＨ（Physical Multicast Channel）、ＰＣＨと下りＳＣＨの情報を伝送するＰＤＳＣＨ（Physical Downlink shared Channel）、または第１の層及び第２の層によって提供される制御情報を伝送するＰＤＣＣＨ（Physical Downlink Control Channel、または、DL L1/L2 control channelとも呼ばれる。）がある。一方、上り伝送チャネルで伝達される情報をネットワークとユーザ装置との間の無線区間に伝送する上り物理チャネルには、上りＳＣＨの情報を伝送するＰＵＳＣＨ（Physical Uplink Shared Channel）、ＲＡＣＨ情報を伝送するＰＲＡＣＨ（Physical Random Access Channel）、またはＨＡＲＱ ＡＣＫ、ＨＡＲＱＮＡＣＫ、スケジューリング要求（ＳＲ；Scheduling Request）、ＣＱＩ（Channel Quality Indicator）報告などのように第１の層及び第２の層によって提供される制御情報を伝送するＰＵＣＣＨ（Physical Uplink Control Channel）がある。
【００１８】
以下、上記の説明に基づいてＬＴＥシステムで提供するランダムアクセス手順（Random Access procedure）について概略的に説明する。
【００１９】
先ず、ユーザ装置がランダムアクセス手順を行なう場合としては下記のようなものがある。
−ユーザ装置が、基地局とのＲＲＣ連結（RRC Connection）なく最初のアクセスを行う場合。
−ユーザ装置がハンドオーバー過程でターゲット（target）セルに初めて接続する場合。
−基地局の命令によってランダムアクセス過程が要求される場合。
−上りリンクの時間同期が合わないまたは無線リソースを要求するために用いられる指定された無線リソースが割り当てられていない状況で、上りリンクで伝送すべきデータが発生する場合。
−無線連結失敗（radio link failure）またはハンドオーバー失敗（handover failure）時に復旧過程を行なう場合。
【００２０】
ランダムアクセスプリアンブルを選択する過程で、ＬＴＥシステムは、競合ベースランダムアクセス手順と非競合ベースランダムアクセス手順の両方を提供する。競合ベースランダムアクセス手順において、ユーザ装置は、特定のシーケンスグループから一つのプリアンブルを選択し、その後、ランダムアクセスプリアンブルの送信の際に任意に選択したプリアンブルを用いる。非競合ベースランダムアクセス手順において、基地局によって特定のユーザ装置に割り当てられたランダムアクセスプリアンブルのみを用いる。ただし、非競合ベースランダムアクセス手順を、上述したハンドオーバー手順においてまたは基地局の命令によって要求される場合に限って用いることができる。
【００２１】
一方、ユーザ装置が特定基地局とランダムアクセスを行なう過程は、主に、（１）ユーザ装置が基地局にランダムアクセスプリアンブルを伝送する段階（以下、混同がない場合、“第１のメッセージ（message 1）伝送段階”）、（２）伝送されたランダムアクセスプリアンブルに対応して基地局からランダムアクセス応答を受信する段階（以下、混同がない場合、“第２のメッセージ（message 2）受信段階”）、（３）ランダムアクセス応答メッセージを通じて受信した情報を用いて上りリンクメッセージを伝送する段階（以下、混同がない場合、“第３のメッセージ（message 3）伝送段階”）、及び（４）上記上りリンクメッセージに対応するメッセージを基地局から受信する段階（以下、混同がない場合、“第４のメッセージ（message 4）受信段階”）を含むことができる。このような過程において、ユーザ装置は、第３のメッセージ伝送による所定の識別情報を用いたスクランブリング（scrambling）を通じて、上りリンク伝送を異なるユーザ装置の他の上りリンク伝送から区別するのを容易にする。
【００２２】
これと関連してＬＴＥシステムにおける一般的なスクランブリングについて簡単に説明する。先ず、移動通信システムでは、ユーザ及び基地局を区別し、伝送するデータをよりランダムにすべく、送信側がスクランブリング動作を行なう。このようなスクランブリングは、送信データビットのモジューロ２加算を用いることによって、擬似−ランダム（pseudo-random）な方式で生成されたシーケンス上で演算を行うように行なうことができる。このようなスクランブリングにより、送信データはよりランダムな特性を有することとなり、送信信号がバランスした送信電力特性を持つことができる。擬似−ランダムシーケンス（pseudo-random sequence）は、ユーザまたは基地局に従って別々に生成され、その結果、ユーザまたは基地局を識別することができる。
【００２３】
また、上記擬似−ランダムシーケンスを、該当のデータ伝送と関連した識別子（ＲＮＴＩ）を用いて生成することができる。例えば、ユーザ装置が、自身のセル識別子（Ｃ−ＲＮＴＩ）がマスキング（Masking）されたＰＤＣＣＨ（Physical Downlink Control CHannel）を通じて上りリンクリソース割当（uplink grant）を受信したとすれば、該ユーザ装置は、ＵＬ承認によって割り当てられたリソースを通じて上りリンクでデータを伝送する。このとき、ユーザ装置のＣ−ＲＮＴＩを用いてデータから擬似−ランダムシーケンスを生成し、このシーケンスとデータとを演算することでスクランブリングが行われる。ただし、上述したランダムアクセス手順と関連して、各過程でいかなる識別情報を用いてスクランブリングを行なうか、これと関連した手順及び処理モジュールはどのように設定されるべきかについてのより具体的な議論が必要である。
【発明の概要】
【発明が解決しようとする課題】
【００２４】
上記の点に鑑みて、本発明は、従来技術の制約及び不都合により一つ以上の問題を大幅に軽減する、スクランブリング効率を向上するランダムアクセス方法を対象とする。
【００２５】
本発明の目的は、移動通信システムにおけるランダムアクセス手順で行なわれるスクランブリング／デスクランブリング性能を向上する方法及びそのための装置を提供することである。
【００２６】
本発明の他の利点、目的及び特徴を、以下説明し、当業者に明らかにする。本発明の目的及び他の利点を、発明の詳細な説明、特許請求の範囲及び添付図面で特に指摘された構造によって実現し及び達成することができる。
【課題を解決するための手段】
【００２７】
上記課題を解決するための本発明の一様態では、端末が特定ネットワークにランダムアクセスを行なう方法において、所定のプリアンブルを含むランダムアクセスプリアンブルメッセージを伝送する段階と、ランダムアクセスプリアンブルメッセージに対応するランダムアクセス応答メッセージを通じて端末識別情報及び上りリンク承認（UL Grant）情報を受信する段階と、ランダムアクセス応答メッセージを通じて受信した端末識別情報値を用いて上りリンク伝送信号をスクランブリングする段階と、上りリンク承認情報に対応して、スクランブリングされた上りリンク伝送信号を伝送する段階と、を含む方法を提案する。
【００２８】
好適には、特定のネットワークに対するランダムアクセスは競合ベースランダムアクセスに対応し、ランダムアクセス応答メッセージを通じて受信した端末識別情報値を、スクランブリングされた上りリンク伝送信号を伝送する前に設定する段階をさらに含む。
【００２９】
更に好適には、スクランブリング段階は、端末のＭＡＣ（Medium Access Control）層が、受信した上りリンク承認情報を端末の物理層に伝達する段階と、端末の物理層が、端末識別情報値を用いてスクランブリングシーケンスを生成する段階と、生成されたスクランブリングシーケンスを用いて上りリンク伝送信号をスクランブリングする段階と、を含む。
【００３０】
好適には、該上りリンク伝送信号を、ランダムアクセス応答メッセージを通じて受信した端末識別情報値を用いてスクランブリングした後に再伝送する段階をさらに含む。
【００３１】
好適には、上りリンク伝送信号を、物理上りリンク共有チャネル（ＰＵＳＣＨ）を通じて伝送する。好適には、ランダムアクセス応答メッセージを通じて受信された端末識別情報は、臨時セルＲＮＴＩ（Temporary Cell Radio Network Temporary Identifier）を含む。
【００３２】
一方、上記課題を解決するための本発明の他の様態では、特定ネットワークにランダムアクセスを行なう端末において、ランダムアクセスプリアンブルメッセージ及び上りリンク承認（UL Grant）情報に対応する上りリンク伝送信号を伝送する伝送モジュールと、ランダムアクセスプリアンブルメッセージに対応するランダムアクセス応答メッセージを受信する受信モジュールと、端末識別情報値を用いて上りリンク伝送信号をスクランブリングするスクランブリングモジュールと、を物理層モジュールとして含み、スクランブリングモジュールは、受信モジュールがランダムアクセス応答メッセージを通じて受信モジュールによって受信した特定端末識別情報値を用いて、上りリンク伝送信号をスクランブリングする。
【００３３】
好適には、受信モジュールは、ランダムアクセス応答メッセージを通じて特定上りリンク承認情報を追加的に受信し、伝送モジュールは、スクランブリングモジュールがスクランブリングした上りリンク伝送信号を、特定上りリンク承認情報に基づいて伝送する。
【００３４】
更に好適には、端末は、ＭＡＣ層モジュールをさらに含み、受信モジュールは、受信したランダムアクセス応答メッセージをＭＡＣ層モジュールに伝達する。
【００３５】
また、ランダムアクセスが競合ベースランダムアクセスである場合、ＭＡＣ層モジュールは、ランダムアクセス応答メッセージを通じて受信した特定端末識別情報を、伝送モジュールが特定上りリンク承認情報に基づいて上りリンク伝送信号を伝送する前に設定する。
【００３６】
また、ＭＡＣ層モジュールは、ランダムアクセス応答メッセージの特定上りリンク承認情報を伝送モジュールに伝達し、スクランブリングモジュールは、ＭＡＣ層モジュールにより設定された特定端末識別情報値を用いてスクランブリングシーケンスを生成し、生成されたスクランブリングシーケンスを用いて上りリンク伝送信号をスクランブリングする。
【００３７】
好適には、伝送モジュールは、上りリンク伝送信号を物理上りリンク共有チャネル（ＰＵＳＣＨ）を通じて伝送する。好適には、ランダムアクセス応答メッセージを通じて受信された特定端末識別情報は、臨時セルＲＮＴＩ（Temporary Cell Radio Network Temporary Identifier）を含む。
【００３８】
一方、上記課題を解決するための本発明の他の様態では、端末のランダムアクセスを制御する方法において、端末からランダムアクセスプリアンブルメッセージを受信する段階と、ランダムアクセスプリアンブルメッセージに対応するランダムアクセス応答メッセージを通じて端末識別情報及び上りリンク承認（UL Grant）情報を伝送する段階と、上りリンク承認情報に対応して端末から上りリンク伝送メッセージを受信する段階と、上りリンク伝送メッセージを、ランダムアクセス応答メッセージを通じて伝送した端末識別情報を用いてデスクランブリングする段階と、を含む。
【００３９】
好適には、ランダムアクセス応答メッセージを通じて伝送した端末識別情報は、臨時セルＲＮＴＩ（Temporary Cell Radio Network Temporary Identifier）を含む。
【発明の効果】
【００４０】
上述したように、本発明によると、ユーザ装置の識別子でスクランブリングした第３のメッセージに対して基地局が正常にデスクランブリング動作を行なうことができる。特に、基地局は、第２のメッセージ伝送時に伝送した臨時Ｃ−ＲＮＴＩを用いて第３のメッセージのデスクランブリングを行なうことができる。
また、セル識別子が割り当てられなかったユーザ装置は、端末の識別子でスクランブリングすることができる。したがって、ランダム化性能を向上し、干渉を最小にする。
【００４１】
また、臨時Ｃ−ＲＮＴＩを使用する場合、第３のメッセージ伝送時点でユーザ装置が生成できる擬似−ランダムシーケンスの範囲が大きく拡大される。したがって、ランダム化性能を向上し、自身のセル内の干渉だけでなく隣接セルとの干渉を最小にする。
【００４２】
本発明のこれまでの説明とこれからの説明のいずれも例示的であり、特許請求の範囲の更に詳しい説明を提供することを意図したものであることを理解されたい。
【図面の簡単な説明】
【００４３】
【図１】移動通信システムの一例としてＥ−ＵＭＴＳネットワーク構造を概略的に示す図である。
【図２】３ＧＰＰ無線アクセスネットワーク規格に基づいたユーザ装置とＵＴＲＡＮとの間の無線インターフェースプロトコルの構造を示す図である。
【図３】３ＧＰＰ無線アクセスネットワーク規格に基づいたユーザ装置とＵＴＲＡＮとの間の無線インターフェースプロトコルの構造を示す図である。
【図４】非競合ベースランダムアクセス手順においてユーザ装置と基地局との間の動作過程を示す図である。
【図５】競合ベースランダムアクセス手順においてユーザ装置と基地局との間の動作過程を説明するための図である。
【図６】本発明の一実施形態によってユーザ装置と基地局との間で競合ベースランダムアクセスを行なう方法を説明するための図である。
【図７】第２のメッセージを通じて受信されたランダムアクセス応答メッセージフォーマットを示す図である。
【図８】本発明の一実施形態によるランダムアクセスを行なうためのユーザ装置の構造を概略的に示す図である。
【図９】本発明の一実施形態によってユーザ装置が特定基地局とランダムアクセスを行なう過程を説明するための図である。
【発明を実施するための形態】
【００４４】
以下、本発明に係る好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を開示するためのものではない。以下の詳細な説明は、本発明の完全な理解を提供するために具体的な細部事項を含む。しかし、このような具体的な細部事項なしにも本発明を実施できるということが当業者には理解できる。例えば、以下の詳細な説明は、移動通信システムが３ＧＰＰ ＬＴＥシステムである場合を仮定して具体的に説明するが、３ＧＰＰ ＬＴＥ特有の事項を除けば他の任意の移動通信システムにも適用可能である。
【００４５】
場合によっては、本発明の概念が曖昧になるのを避けるために、公知の構造及び装置は省略されたり、各構造及び装置の核心機能を中心にしたブロック図の形式で示されることもある。また、本明細書全体にわたって同一の構成要素には同一の図面符号を付して説明する。
【００４６】
なお、以下の説明において、端末は、ＵＥ（User Equipment）、ＭＳ（Mobile Station）等、移動または固定型のユーザ端機器を総称すると仮定する。また、基地局は、Ｎｏｄｅ Ｂ、ｅＮｏｄｅ Ｂ、Base Stationなど端末と通信するネットワーク端の任意のノードを総称すると仮定する。
【００４７】
ランダムアクセス過程と関連して各過程でいかなる識別情報を用いてスクランブリングを行なうか、またこれと関連した手順及び処理モジュールはどのように設定するかについて説明するに先立って、まず、本発明が適用されるランダムアクセス過程についてより具体的に説明する。
【００４８】
図４は、非競合ベースランダムアクセス過程における端末と基地局との間の動作過程を示す図である。
【００４９】
（１）ランダムアクセスプリアンブル割当
上述したように、非競合ベースランダムアクセス過程を、（１）ハンドオーバー過程の場合、及び（２）基地局の命令によって要求される場合において行うことができる。もちろん、両方の場合において競合ベースランダムアクセス過程が行なわれても良い。
【００５０】
まず、非競合ベースランダムアクセス過程のためには、衝突のない指定されたランダムアクセスプリアンブルを基地局から受信することが重要である。このランダムアクセスプリアンブルを指定する方法には、ハンドオーバー命令を通じた方法またはＰＤＣＣＨ命令を通じた方法がある。これによって、ランダムアクセスプリアンブルが端末に割り当てられる（Ｓ４０１）。
【００５１】
（２）第１のメッセージ（メッセージ−１）伝送
上述したように、端末に対してのみ指定されたランダムアクセスプリアンブルが端末に割り当てられた後に、端末は、該プリアンブルを基地局に伝送する（Ｓ４０２）。
【００５２】
（３）第２のメッセージ（メッセージ−２）受信
端末は、上記段階Ｓ４０２でランダムアクセスプリアンブルを伝送した後に、システム情報または基地局のハンドオーバー命令を通じて指示したランダムアクセス応答受信ウィンドウ内で、自身のランダムアクセス応答の受信を試みる（Ｓ４０３）。特に、ランダムアクセス応答情報を、ＭＡＣ ＰＤＵ（MAC Packet Data Unit）の形式で伝送することができ、このＭＡＣ ＰＤＵを、ＰＤＳＣＨ（Physical Downlink Shared CHannel）を通じて伝達することができる。好適には、ＰＤＳＣＨで伝達される情報を適切に受信するために、端末は、ＰＤＣＣＨ（Physical Downlink Control CHannel）をモニタリングする。特に、ＰＤＣＣＨには、ＰＤＳＣＨを受信する端末の情報と、ＰＤＳＣＨの無線リソースの周波数、時間情報、そしてＰＤＳＣＨの伝送形式などが含まれていることが好ましい。一旦、端末が、自身に伝送されるＰＤＣＣＨの受信に成功すると、端末は、該ＰＤＣＣＨの情報に応じて、ＰＤＳＣＨで伝送されるランダムアクセス応答を適切に受信することができる。そして、ランダムアクセス応答は、ランダムアクセスプリアンブル識別子（ＩＤ；例えば、ＲＡ−ＲＮＴＩ（Random Access Preamble identifier））、上りリンク無線リソースを知らせる上りリンク承認（UL Grant）、臨時セル識別子（Temporary C-RNTI）、そして時間同期補正値（Timing Advance Command：ＴＡＣ）を含む。
【００５３】
上述したように、ランダムアクセスプリアンブル識別子がランダムアクセス応答に必要である。一つ以上の端末のためのランダムアクセス応答情報が一つのランダムアクセス応答に含まれるので、上りリンク承認（UL Grant）、臨時Ｃ−ＲＮＴＩ及びＴＡＣが所定の端末に有効であることを知らせる必要がある。本段階で、端末は、段階Ｓ４０２で自身が選択したランダムアクセスプリアンブルと一致するランダムアクセスプリアンブル識別子を選択すると仮定する。
【００５４】
非競合ベースランダムアクセス手順では、ランダムアクセス応答情報を受信した場合にランダムアクセスが成功したと判断し、ランダムアクセス手順を終了することができる。
【００５５】
図５は、競合ベースランダムアクセス手順における端末と基地局との間の動作過程を説明するための図である。
【００５６】
（１）第１のメッセージ伝送
先ず、端末は、システム情報またはハンドオーバー命令（Handover Command）を通じて指示されたランダムアクセスプリアンブルの集合から一つのランダムアクセスプリアンブルを任意に（randomly）選択し、このランダムアクセスプリアンブルを伝送できるようなＰＲＡＣＨ（Physical RACH）リソースを選択して伝送することができる（Ｓ５０１）。
【００５７】
（２）第２のメッセージ受信
ランダムアクセス応答を受信する方法は、上述した非競合ベースランダムアクセス手順に類似している。特に、端末は、段階Ｓ５０１でランダムアクセスプリアンブルを伝送した後に、基地局がシステム情報またはハンドオーバー命令を通じて指示したランダムアクセス応答受信ウィンドウ内で、自身のランダムアクセス応答の受信を試み、対応するＲＡ−ＲＮＴＩ情報を通じてＰＤＳＣＨを受信する（Ｓ５０２）。受信したＰＤＳＣＨにより、端末は、上りリンク承認（UL Grant）、臨時セル識別子（Temporary C-RNTI）、時間同期補正値（ＴＡＣ）などを受信することができる。
【００５８】
（３）第３のメッセージ伝送
端末が自身に有効なランダムアクセス応答を受信した場合には、端末は、該ランダムアクセス応答に含まれた情報を処理する。特に、端末は、ＴＡＣを適用し、臨時Ｃ−ＲＮＴＩを保存する。端末は、上りリンク承認を用いて、データ（すなわち、第３のメッセージ）を基地局に伝送する（Ｓ５０３）。この場合、第３のメッセージが端末の識別子を含むのが好ましい。その理由は、競合ベースランダムアクセス過程ではどの端末がランダムアクセス手順を行なうかを基地局は判断できないからである。したがって、将来の衝突解決のために端末を識別するのが好ましい。
【００５９】
端末の識別子を含める方法として２つの方法を論議した。第１の方法において、端末がランダムアクセス手順以前に該当のセルの割り当てられた有効なセル識別子を持っていたとすれば、端末は、下りリンク承認に対応する上りリンク伝送信号を通じて自身のセル識別子を伝送する。ランダムアクセス手順以前に有効なセル識別子が割り当てられていない場合、端末は、自身の固有識別子（例えば、Ｓ−ＴＭＳＩまたは任意ＩＤ（Random Id））を伝送する。一般的に、この固有識別子はセル識別子よりも長い。端末は、上りリンク承認に対応するデータを伝送すると、衝突解決のためのタイマー（contention resolution timer）を始動させる。
【００６０】
（４）第４のメッセージ受信
端末は、ランダムアクセス応答に含まれた上りリンク承認を通じて自身の識別子を含めたデータを伝送した後、衝突解決のために基地局の指示を待つ。特に、端末は、特定メッセージを受信するためにＰＤＣＣＨの受信を試みる（Ｓ５０４）。ＰＤＣＣＨを受信する方法についても２つの方法を論議した。上述したように、上りリンク承認に基づいて伝送された第３のメッセージが、端末のセル識別子を用いて伝送される場合には、端末は、自身のセル識別子を用いてＰＤＣＣＨの受信を試みる。識別子が固有識別子である場合には、端末は、ランダムアクセス応答に含まれた臨時Ｃ−ＲＮＴＩを用いてＰＤＣＣＨの受信を試みることができる。その後、前者の場合、端末が、衝突解決タイマーが満了する前に自身のセル識別子を通じてＰＤＣＣＨを受信すると、端末は、ランダムアクセス手順が成功したと判断し、ランダムアクセス手順を終了する。後者の場合、端末が、衝突解決タイマーが満了する前に臨時Ｃ−ＲＮＴＩを通じてＰＤＣＣＨを受信すると、端末は、このＰＤＣＣＨが指示するＰＤＳＣＨが伝達するデータを確認する。このデータの内容に自身の固有識別子が含まれていると、端末は、ランダムアクセス手順が成功したと判断し、ランダムアクセス手順を終了する。
【００６１】
一方、上述したように、ランダムアクセス過程、特に競合ベースランダムアクセス過程で、端末の識別子が第３のメッセージに含まれ、この第３のメッセージ伝送のためのスクランブリングに端末識別子が用いられるように設定する場合、次のような問題が生じうる。基地局では、第３のメッセージを正常に受信し、この第３のメッセージのデコーディングに成功する場合に限って端末の識別子が確認できる。しかし、基地局が第３のメッセージを受信した後にデスクランブリング（de-scrambling）動作を行なう時点は、端末の識別子を確認する時点であるがため、基地局は、デスクランブリング動作を行なう時に端末の識別子がわからない。特に、基地局は、第３のメッセージのデスクランブリングを通じて端末識別子を獲得しなければならない。第３のメッセージのデスクランブリングのために端末識別子が要るとすれば、基地局は端末識別子を獲得し難いという問題につながる。
【００６２】
また、第３のメッセージ伝送時点で、端末によっては、基地局から割り当てられた端末のセル識別子を持っていることもあるが、割り当てられた端末のセル識別子がない場合もありうる。端末が、基地局から割り当てられたセル識別子がない場合、端末は、第３のメッセージを端末の識別子でスクランブリングできず、該当のセルと隣接セルとの間の干渉を増加させることがある。
【００６３】
そこで、本発明の好ましい一実施形態のランダムアクセス手順において、端末がランダムアクセス応答に含まれた上りリンク承認を用いてデータを伝送する場合、当該データスクランブリングのために使用する識別子を、端末と基地局との間で共有された識別情報を用いるように設定する。好ましくは、第２のメッセージによって搬送された臨時Ｃ−ＲＮＴＩを用いてスクランブリングシーケンスを生成する。第３のメッセージは、臨時Ｃ−ＲＮＴＩに基づいて生成されたスクランブリングシーケンスを用いて伝送される。したがって、上述した問題を解決することができる。このような方式は、非競合ベースランダムアクセス過程で第２のメッセージ受信に続く上りリンク伝送信号を伝送するに当たってスクランブリングを行なうために適用することが可能である。ただし、以下では、第２のメッセージによって搬送された上りリンク承認に対応して第３のメッセージを伝送する競合ベースランダムアクセス過程を取り上げて説明する。
【００６４】
図６は、本発明の一実施形態によって端末と基地局との間で競合ベースランダムアクセスを行なう方法を説明するための図である。
【００６５】
（１）第１のメッセージ伝送
端末は、競合ベースランダムアクセス手順が要求されると、ランダムアクセスプリアンブルを端末のＭＡＣ層で任意に選択して基地局に伝送することができる（Ｓ６０１）。
【００６６】
（２）第２のメッセージ受信
端末は、自身が伝送したランダムアクセスプリアンブルに対応するランダムアクセスプリアンブル識別子が含まれたランダムアクセス応答を受信する（Ｓ６０２）。このランダムアクセス応答は、ランダムアクセスプリアンブル識別子（ＲＡ−ＲＮＴＩ）、上りリンク承認、臨時Ｃ−ＲＮＴＩ及びＴＡＣを含むことができ、具体的な構造は図７に示されている。
【００６７】
図７は、第２のメッセージを通じて受信されたランダムアクセス応答メッセージフォーマットを示す図である。
【００６８】
図７において、“Ｒ”は留保ビット（Reserved Bit）を表し、０に設定されると仮定する。上りリンク承認は、上りリンク伝送において利用される上りリンクリソースを表す。ＴＡＣフィールドは、端末が適用すべきタイミング適応の量を制御するために用いられる。また、臨時Ｃ−ＲＮＴＩは、端末がランダムアクセス過程で用いる臨時識別子を表す。この臨時Ｃ−ＲＮＴＩは、１６ビット長を有する。
【００６９】
一方、端末のＭＡＣ層は、上述したように、ランダムアクセス応答を通じて受信された臨時Ｃ−ＲＮＴＩを保存し、端末のＭＡＣ層は、メッセージ伝送において、設定された臨時Ｃ−ＲＮＴＩを用いて擬似−ランダムシーケンスを生成し、生成された擬似−ランダムシーケンスを用いてデータをスクランブリングするために、物理層を制御する。
【００７０】
好ましくは、端末は、図７に示すようなランダムアクセス応答を受信し、この応答に含まれた臨時Ｃ−ＲＮＴＩを第３のメッセージの伝送までに設定し、これを直ちに物理層に知らせる。これは、本実施形態では、第３のメッセージ伝送において、第２のメッセージを通じて受信した臨時Ｃ−ＲＮＴＩを用いると仮定しているため、ＭＡＣ層が臨時Ｃ−ＲＮＴＩを設定することができる時点が第３のメッセージ伝送時点より遅い場合は、物理層が第３のメッセージ伝送にスクランブリングを適用するのが困難である。
【００７１】
（３）第３のメッセージ伝送
端末は、当該ランダムアクセス応答に含まれた上りリンク承認を用いて、第３のメッセージを基地局に伝送する（Ｓ６０３）。第３のメッセージは、端末のＣ-ＲＮＴＩ（または、C-RNTI MAC Control Element）または上りリンクＣＣＣＨ ＳＤＵを含むことが好ましい。また、この第３のメッセージがＰＵＳＣＨを通じて伝送されると仮定する。また、本実施形態では、第３のメッセージ伝送時点で基地局と端末との間で共有されるように保障される端末識別情報、好ましくは、図７に示すような構造を持つランダムアクセス応答を通じて受信した臨時Ｃ-ＲＮＴＩを用いて生成された擬似−ランダムシーケンスを用いてスクランブリングを行なうことを提案する。
【００７２】
第３のメッセージ伝送時点で基地局と端末との間で共有されるように保障される識別情報は、上述した臨時Ｃ−ＲＮＴＩの他にも、ＲＡ−ＲＮＴＩまたはＣ−ＲＮＴＩ＝Ｏを用いることを考慮できる。ただし、ＲＡ−ＲＮＴＩは、端末が伝送するランダムアクセスプリアンブルがどの時間−周波数リソースを通じて伝送されるかを識別するために割り当てられた識別子である。利用可能な識別子の個数が臨時Ｃ−ＲＮＴＩの個数より少ないため、ＲＡ−ＲＮＴＩの場合には充分な数の端末を識別するのが困難である。また、Ｃ−ＲＮＴＩ＝０を用いてスクランブリングを行なうということは、スクランブリングを適用しないということと同じ意味を有し、スクランブリングを通じたランダム化利得を獲得できないという問題がある。このように本実施形態では、第２のメッセージを通じて受信した臨時Ｃ−ＲＮＴＩを用いてスクランブリングを行い、その具体的な過程は下記の通りである。
【００７３】
先ず、端末の物理層では、ＭＡＣ層により設定された臨時Ｃ−ＲＮＴＩを擬似−ランダムシーケンスの初期値とし、擬似−ランダムシーケンスをスクランブリングシーケンスとして生成する。ＬＴＥシステムにおいて、擬似−ランダムシーケンスは、下記のように長さ３１のゴールドシーケンス（Gold Sequence）を用いて定義される。
【００７４】
【数１】
2010524386.tif 000003
【００７５】
【数２】
2010524386.tif 000004
【００７６】
【数３】
2010524386.tif 000005
【００７７】
【数４】
2010524386.tif 000006
【００７８】
一方、以下では、上述した本実施形態を行なうための端末の構造について説明する。
【００７９】
図８は、本発明の一実施形態によるランダムアクセスを行なうための端末の構造を概略的に示す図である。
【００８０】
図８に示すように、本実施形態による端末は、物理層モジュール８０１及びＭＡＣ層モジュール８０２を含み、物理層モジュール８０１は、伝送モジュール８０３、受信モジュール８０４、スクランブリングモジュール８０５などを含むことができる。
【００８１】
このような構造に基づき、本実施形態による動作について説明すると、下記の通りである。
【００８２】
先ず、競合ベースランダムアクセス過程の場合、端末のＭＡＣ層モジュール８０２により選択されたランダムアクセスプリアンブルが、伝送モジュール８０３に伝達され、伝送モジュール８０３は、第１のメッセージに含まれるランダムアクセスプリアンブルを有することによってランダムアクセスプリアンブルを基地局に伝送することができる。
【００８３】
以降、端末は、所定のサイズのウィンドウ内で、既に伝送したランダムアクセスプリアンブルに対応するＲＡ−ＲＮＴＩを表す信号がＰＤＣＣＨを通じて伝送されるか否かをモニタリングする。該当のウィンドウ内で、既に伝送したランダムアクセスプリアンブルに対応するＲＡ−ＲＮＴＩを表す信号が伝送された場合、端末の物理層、更に詳しくは、受信モジュール８０４は、ランダムアクセス応答（ＲＡＲ：Random Access Response）を含む伝送ブロック（ＴＢ）をＭＡＣ層に伝達することができる。このように伝達されるＭＡＣランダムアクセス応答メッセージ（ＭＡＣ ＲＡＲ）には、図７に示すように、ＴＡＣ情報、上りリンク承認情報及び臨時Ｃ−ＲＮＴＩ情報が含まれることとなる。
【００８４】
このような情報を獲得した端末のＭＡＣ層８０２は、受信したＲＡＲメッセージの上りリンク承認情報を物理層８０１に伝達する。また、本実施形態によるＭＡＣ層８０２は、物理層８０１の伝送モジュール８０３を通じて、第３のメッセージが伝送される以前に受信したＲＡＲを通じて獲得された臨時Ｃ−ＲＮＴＩ値を設定し、この設定値を物理層８０１のスクランブリングモジュール８０５に伝達する。ＭＡＣ層８０２から臨時Ｃ−ＲＮＴＩ値を受信したスクランブリングモジュール８０５は、臨時Ｃ−ＲＮＴＩ値を擬似−ランダムシーケンスの初期値としてスクランブリングシーケンスを生成した後、生成されたスクランブリングシーケンスを用いて上りリンク承認に対応する上りリンク伝送信号をスクランブリングする。ＬＴＥシステムの場合、スクランブリングモジュール８０５は、モジューロ２加算器（図示せず）を用いて、上りリンク承認に対応する上りリンク伝送信号と、生成されたスクランブリングシーケンスとを加算する過程を行なう。
【００８５】
このようにスクランブリングモジュール８０５によりスクランブリングされた伝送信号は、伝送モジュール８０３に伝達され、伝送モジュール８０３は、上りリンク承認に対応する時間−周波数リソース領域を通じて、スクランブリングされた上りリンク伝送信号を伝送することができる。
【００８６】
一方、上述したように、第２のメッセージを通じて受信された識別情報を用いてスクランブリングを行なうことは、第３のメッセージの初期伝送の他に、第３のメッセージの再伝送にも適用されることができる。
【００８７】
図９は、本発明の一実施形態によって端末が特定基地局とランダムアクセスを行なう過程を説明するための図である。
【００８８】
図９を参照すると、第１のメッセージ伝送（Ｓ９０１）、第２のメッセージ受信（Ｓ９０２）及び第３のメッセージ伝送（Ｓ９０３）は、図６の第１のメッセージ伝送（Ｓ６０１）、第２のメッセージ受信（Ｓ６０２）及び第３のメッセージ伝送（Ｓ６０３）と同一である。
【００８９】
一方、上述したように、第２のメッセージを通じて受信された臨時Ｃ−ＲＮＴＩを用いてスクランブリングした第３のメッセージを伝送した後、端末は、第３のメッセージ受信に成功したというフィードバック情報を基地局から受信できない場合もありうる。特に、端末がＨＡＲＱ ＮＡＣＫを基地局から受信する場合もありうる（Ｓ９０４）。この場合、端末は、第３のメッセージの再伝送を行なうことができる。本実施形態では、第３のメッセージの再伝送においても、端末は、ランダムアクセス応答情報に含まれた臨時Ｃ−ＲＮＴＩを用いて生成された擬似−ランダムシーケンスを用いてスクランブリングを行う。
【００９０】
上述したように、本発明による実施形態では、第３のメッセージのスクランブリングを、ランダムアクセス応答メッセージに含まれた識別子、例えば、臨時Ｃ−ＲＮＴで生成された擬似−ランダムシーケンスを用いてランダムアクセス過程で行う。これにより、基地局は、端末の識別子でスクランブリングした第３のメッセージに対して正常にデスクランブリング動作を行なうことができる。特に、基地局は、第２のメッセージ伝送時に伝送した臨時Ｃ−ＲＮＴＩを用いて第３のメッセージのデスクランブリングを行うことができる。
【００９１】
一方、本実施形態によると、セル識別子が割り当てられなかった端末も端末の識別子でスクランブリングを行なうことができ、ランダム化性能を向上し、干渉が最小になる。
【００９２】
また、臨時Ｃ−ＲＮＴＩを使用する場合、第３のメッセージ伝送時点で端末が生成できる擬似−ランダムシーケンスの範囲が著しく拡大されるため、ランダム化性能を向上することができ、自身のセル内の干渉だけでなく隣接セルとの干渉を最小限に抑えることができる。
【００９３】
上述のようなランダムアクセス技術及びそのための端末構造は、３ＧＰＰ ＬＴＥシステムに適用される例を中心にして説明したが、３ＧＰＰ ＬＴＥシステムに類似するランダムアクセス過程を持つ他の様々な移動通信システムにも適用することが可能である。
【００９４】
上述したように、本発明の好ましい実施形態についての詳細な説明は、当業者が本発明を具現して実施できるように提供された。以上では本発明の好ましい実施例に上げて本発明を説明してきたが、該当技術分野における熟練した当業者には、添付の特許請求の範囲に記載された本発明の思想及び領域を逸脱しない範囲内で、本発明を様々に修正及び変更させることができるということが理解できる。したがって、本発明は、ここに開示された実施形態に制限されるものではなく、ここに開示された原理及び特徴と一致する最も広い範囲の権利を受けるためのものであることは明らかである。
【図１】
2010524386.tif 000007
【図２】
2010524386.tif 000008
【図３】
2010524386.tif 000009
【図４】
2010524386.tif 000010
【図５】
2010524386.tif 000011
【図６】
2010524386.tif 000012
【図７】
2010524386.tif 000013
【図８】
2010524386.tif 000014
【図９】
2010524386.tif 000015
【国際調査報告】
2010524386.tif 000016
2010524386.tif 000017